(57)【要約】伝送効率を向上させながら、より小型化することを目的として、光伝送コネクタ装置（１）は、複数の光信号を送信する送信側コネクタ（２）と、該送信側コネクタ（２）から送信された複数の光信号を受信する受信側コネクタ（３）とを備え、送信側コネクタ（２）および受信側コネクタ（３）が、光信号を伝送する複数の光ファイバ（８），（９）と、複数の光ファイバ（８），（９）の一端面に接触または近接して配置される光学部材（６），（７）とを有し、送信側コネクタ（２）の光学部材（６）が、各光ファイバ（８）の一端面から射出された複数の光信号を略平行光に変換するとともに、各略平行光の光束中心を略一点で交わらせるように形成され、受信側コネクタ（３）の光学部材（７）が、送信側コネクタ（２）の光学部材（６）において略平行光に変換された複数の光信号を別々の光ファイバ（９）に入射させるように形成され、以下の条件式を満足する。    Ｄ１／Ｄ２＜２  Ｄ１は光学部材の最大有効径、Ｄ２は平行光の最大光束径である。
2016103912.tif 000002
【特許請求の範囲】
【請求項１】
複数の光信号を送信する送信側コネクタと、
該送信側コネクタから送信された複数の光信号を受信する受信側コネクタとを備え、
前記送信側コネクタおよび前記受信側コネクタが、光信号を伝送する複数の光ファイバと、複数の該光ファイバの一端面に接触または近接して配置される光学部材とを有し、
前記送信側コネクタの光学部材が、各前記光ファイバの一端面から射出された複数の光信号を略平行光に変換するとともに、各該略平行光の光束中心を略一点で交わらせるように形成され、
前記受信側コネクタの光学部材が、前記送信側コネクタの光学部材において略平行光に変換された複数の光信号を別々の前記光ファイバに入射させるように形成され、
以下の条件式（１）を満足する光伝送コネクタ装置。
Ｄ１／Ｄ２＜２    ・・・（１）
但し、Ｄ１は前記送信側コネクタの前記光学部材の最大有効径であり、Ｄ２は前記平行光の最大光束径である。
【請求項２】
以下の条件式（２）を満足する請求項１記載の光伝送コネクタ装置。
Ｄ１／２ｆｔａｎ（ω／２）＜２  ・・・（２）
但し、ωは前記光ファイバの信号光からの広がり角度であり、ｆは前記光学部材の焦点距離である。
【請求項３】
以下の条件式（３）を満足する請求項２記載の光伝送コネクタ装置。
２｛Ｐ＋ｆｔａｎ（ω／２−θ）｝／２ｆｔａｎ（ω／２）＜２  ・・・（３）
但し、Ｐは各前記光ファイバの光軸からの距離であり、θは前記光ファイバの傾き角である。
【請求項４】
前記光学部材が凸面を有し、
該凸面が中心から周辺にかけてパワーが弱くなる非球面形状であり、
前記受信側コネクタの光学部材と前記送信側コネクタの光学部材とが、互いに前記凸面を対向させて配置される請求項１から請求項３のいずれかに記載の光伝送コネクタ装置。
【発明の詳細な説明】
【技術分野】
【０００１】
本発明は、光伝送コネクタ装置に関するものである。
【背景技術】
【０００２】
撮像装置や画像処理装置等を備える各種機器において、撮像素子の高画素化に伴って伝送されるデータ量が増加していることから、複数の光ファイバ等の光伝送媒体を用いてデータを高速に送受信することが広く行われている。そして、複数の光伝送媒体同士を接続する場合、または、複数の光伝送媒体と各種光デバイスとを接続する場合に、両者の接続部にデータとしての光信号を送受信する光伝送コネクタを設けている。
このような光伝送コネクタにおいて、光伝送媒体からの光信号の光束径を拡大させてデータの伝送効率を向上させるためにレンズに特徴を持たせたものが種々提案されている（例えば、特許文献１，２参照。）。【０００３】
特許文献１には、複数の光伝播経路（光伝送媒体）からの光信号を、光伝播経路と同数の樹脂レンズを配列したレンズアレイにおいてコリメートし、レンズアレイから他のデバイスに対して出射させる光コネクタが開示されている。
また、特許文献２には、複数の光伝送路を有する光導波体群と複数の光電素子を有する光電素子群との間に、最も離れた２の光伝送路の光軸間距離よりも大きな有効径を有する第１凸レンズと、最も離れた２つの光電素子の光軸間距離よりも大きな有効径を有する第２凸レンズとを配置し、光導波体群からの光信号を第１凸レンズにおいてコリメートし、第２凸レンズにより各光電素子に集光させる光モジュールが開示されている。【０００４】
ところで、内視鏡システムにおけるスコープと画像処理装置との接続部にも光伝送コネクタが設けられている。そして、スコープの着脱や洗浄時に、光伝送コネクタ部に異物や水垢などが付着して伝送効率を低下させる虞があることから、上述のようなレンズを用いて伝送効率を向上させた光伝送コネクタが適用されている。一方、内視鏡システムは、患者への負担軽減等の観点から小型化の要請が強く、内視鏡システムに適用する光伝送コネクタも小型であることが好ましい。
【先行技術文献】
【特許文献】
【０００５】
【特許文献１】特開２００７−１７８７９０号公報
【特許文献２】特開２００７−１２７７９７号公報
【発明の概要】
【発明が解決しようとする課題】
【０００６】
特許文献１においては、光伝播経路としてのファイバ数の増加やファイバの開口数が大きくなるのに伴ってレンズアレイが大型化するため、光コネクタも大型化してしまう。
特許文献２においては、光導波体群と第１凸レンズとの間に空気層が設けられていることから、この空気層において光導波体群から出射した光の光束径が広がるため、第１凸レンズの径が大きくなければ全ての光束を第１凸レンズに入射させることができない。つまり、レンズ径が大きくなるために光モジュール自体も大型化してしまう。【０００７】
本発明は、上述した事情に鑑みてなされたものであって、伝送効率を向上させながらより小型化することができる光伝送コネクタ装置を提供する。
【課題を解決するための手段】
【０００８】
本発明は、複数の光信号を送信する送信側コネクタと、該送信側コネクタから送信された複数の光信号を受信する受信側コネクタとを備え、前記送信側コネクタおよび前記受信側コネクタが、光信号を伝送する複数の光ファイバと、複数の該光ファイバの一端面に接触または近接して配置される光学部材とを有し、前記送信側コネクタの光学部材が、各前記光ファイバの一端面から射出された複数の光信号を略平行光に変換するとともに、各該略平行光の光束中心を略一点で交わらせるように形成され、前記受信側コネクタの光学部材が、前記送信側コネクタの光学部材において略平行光に変換された複数の光信号を別々の前記光ファイバに入射させるように形成され、以下の条件式（１）を満足する光伝送コネクタ装置である。
Ｄ１／Ｄ２＜２    ・・・（１）
但し、Ｄ１は前記送信側コネクタの前記光学部材の最大有効径であり、Ｄ２は前記平行光の最大光束径である。【０００９】
本発明によれば、送信側コネクタの複数の光ファイバを介して導光されてきた複数の光信号は、各光ファイバの一端面から射出されると、該一端面に接触して配置されている光学部材に入射し、略平行光に変換されて射出される。光学部材としては光ファイバと同程度の屈折率を有する材質のものを選択でき、光ファイバの一端面から射出される光信号は大きく広がることなく光学部材内を伝播して、比較的細い略平行光にとして射出される。【００１０】
光学部材から射出された略平行光となった信号光は、光束中心を略一点で交わらされるので、複数の信号光の瞳が共有された後、受信側コネクタの光学部材によって受信側コネクタの各光ファイバの一端面に集光され、受信側コネクタによって受信される。これにより、光信号の光束径を抑えて、光学部材を小さく、すなわち、信号光の最大光束径の２倍より小さく構成することができ、小型化を図ることができる。【００１１】
上記態様において、以下の条件式（２）を満足することが好ましい。
Ｄ１／２ｆｔａｎ（ω／２）＜２  ・・・（２）【００１２】
但し、ωは前記光ファイバの信号光からの広がり角度であり、ｆは前記光学部材の焦点距離である。
このように光学部材からの射出光を平行光にすることで光軸方向の誤差をより許容することができる。すなわち、送信側コネクタと受信側コネクタとの配置の自由度を広げ、且つ、光伝送コネクタ装置の組立時に生じる誤差の許容にも優れている。【００１３】
上記態様において、以下の条件式（３）を満足することが好ましい。
２｛Ｐ＋ｆｔａｎ（ω／２−θ）｝／２ｆｔａｎ（ω／２）＜２  ・・・（３）
但し、Ｐは各前記光ファイバの光軸からの距離であり、θは前記光ファイバの傾き角である。【００１４】
これにより、送信側コネクタの複数の光ファイバを介して導光されてきた複数の光信号は、各光ファイバの一端面から射出されると、比較的大きな角度をなして広がるが、上式（３）を満足するような光ファイバ位置と角度とに配置することで、光信号の光束径をさらに抑えることができる。【００１５】
また、該一端面に対して微小間隙をあけて対向配置されている光学部材に入射させる場合においては光信号の広がり角度が抑えられ、光学部材内を伝播して比較的細い略平行光にとして射出される。【００１６】
上記態様においては、前記光学部材が凸面を有し、該凸面が中心から周辺にかけてパワーが弱くなる非球面形状であり、前記受信側コネクタの光学部材と前記送信側コネクタの光学部材とが、互いに前記凸面を対向させて配置されてもよい。
このようにすることで、送信側コネクタにおいては、光学部材を通過する信号光の収差を補正して、光束中心が一点で交わる略平行光からなる信号光を形成し、且つ、受信側コネクタにおいても、光学部材を通過する信号光の収差を補正して、略平行光からなる信号光を光ファイバの一端面に正しく入射させることができる。
【発明の効果】
【００１７】
本発明によれば、伝送効率を向上させながら、より小型化することができるという効果を奏する。
【図面の簡単な説明】
【００１８】
【図１】本発明の第１の実施形態に係る光伝送コネクタ装置を示す縦断面図である。
【図２】図１の光伝送コネクタ装置の送信側（または受信側）コネクタのレンズを図１のＡ−Ａ線に沿う横断面図である。
【図３】図１の光伝送コネクタ装置の送信側コネクタと受信側コネクタとを連結した状態を示す縦断面図である。
【図４】図３の光伝送コネクタ装置に光信号を重ねて示す縦断面図である。
【図５】図４の送信側コネクタのレンズに、光信号が光軸に対してθだけ傾いて入射した場合を示す概略図である。
【図６】本発明の第２の実施形態に係る光伝送コネクタ装置を示す縦断面図である。
【図７】図６の光伝送コネクタ装置の変形例を示す縦断面図である。
【発明を実施するための形態】
【００１９】
本発明の第１の実施形態に係る光伝送コネクタ装置１について、図面を参照して以下に説明する。
本実施形態に係る光伝送コネクタ装置１は、図１に示されるように、送信側コネクタ２と受信側コネクタ３とを備えている。
【００２０】
送信側コネクタ２および受信側コネクタ３は、それぞれハウジング４，５と、該ハウジング４，５に固定されたレンズ（光学部材）６，７と、該レンズ６，７に対して一端面が固定された、複数、例えば、図２に示されるような５本の光ファイバ（図１には，そのうちの３本のみ表示。）８，９とを備えている。各レンズ６，７は、それぞれ１つの凸面１０，１１を有している。
【００２１】
凸面１０，１１は、各レンズ６，７の中央から周辺に向かって、次第にパワーが弱くなる非球面である。
送信側コネクタ２のハウジング４と受信側コネクタ３のハウジング５とは相互に着脱可能に連結されるようになっている。受信側コネクタ３のハウジング５には、送信側コネクタ２のハウジング４を嵌合させる嵌合孔１２が設けられているとともに、送信側コネクタ２のハウジング４を長手方向に突き当てる突当面１３が設けられている。なお、両ハウジング４，５には、両ハウジング４，５を周方向に位置決めする図示しないキーとキー溝のような周方向の位置決め手段が設けられている。
【００２２】
これにより、ハウジング４，５同士を連結して、送信側コネクタ２のハウジング４を受信側コネクタ３のハウジング５の突当面１３に突き当てると、図３に示されるように、ハウジング４，５同士が半径方向および長手方向に位置決めされるようになっている。すなわち、送信側コネクタ２と受信側コネクタ３とを連結すると、送信側コネクタ２のレンズ６の凸面１０と受信側コネクタ３のレンズ７の凸面１１とが、光軸を一致させて、所定の間隔をあけて対向配置されるようになっている。
【００２３】
各光ファイバ８，９は、一端面がレンズ６，７に隙間なく密着して配置されている。レンズ６，７は、透明な樹脂またはガラスにより構成され、光ファイバ８，９のコアの屈折率と同等の屈折率を有している。
送信側コネクタ２においては、各光ファイバ８は、図４に示されるように、これらの光ファイバ８の一端面から射出される光の光束中心がレンズ６から射出された後に一点（射出瞳）で交わらされるように配置されている。
具体的には、次の条件式（１）を満足するように配置されている。
【００２４】
すなわち、送信側コネクタ２のレンズ６の最大有効径をＤ１、レンズ６から射出された光の射出瞳位置での最大光束径をＤ２として、
Ｄ１／Ｄ２＜２        （１）
である。
【００２５】
さらに具体的には、図５において、最大光束径Ｄ２は、
Ｄ２＝２ｆｔａｎ（ω／２）
である。
上式および式（１）から、以下の条件式（２）を導くことができる。
Ｄ１／２ｆｔａｎ（ω／２）＜２        （２）
但し、ωは光ファイバ８の信号光からの広がり角度であり、ｆはレンズ６の焦点距離である。
【００２６】
また、最大有効径Ｄ１は、
Ｄ１＝２｛Ｐ＋ｆｔａｎ（ω／２−θ）｝
である。
【００２７】
したがって、上式および式（２）から、以下の条件式（３）を導くことができる。
２｛Ｐ＋ｆｔａｎ（ω／２−θ）｝／２ｆｔａｎ（ω／２）＜２    （３）
但し、Ｐは各光ファイバ８の光軸からの距離であり、θは光ファイバ８の傾き角である。
【００２８】
受信側コネクタ３においては、各光ファイバ９は、凸面１１の外部において一点（入射瞳）で交わる光束中心を有する略平行光が凸面１１からレンズ７内に入射する際に集光されて各光ファイバ９の一端面に焦点を結ぶように配置されている。この場合にも条件式（２）を満足している。図中、符号１４は、送信側コネクタ２のレンズ６を保護する保護カバーである。
【００２９】
そして、送信側コネクタ２と受信側コネクタ３とはハウジング４，５同士を連結することにより、送信側コネクタ２の射出瞳と受信側コネクタ３の入射瞳とが一致させられるようになっている。
【００３０】
このように構成された本実施形態に係る光伝送コネクタ装置１の作用について説明する。
本実施形態に係る光伝送コネクタ装置１を用いて光信号を接続するには、送信側コネクタ２のハウジング４と、受信側コネクタ３のハウジング５とを連結する。これにより、送信側コネクタ２の射出瞳と、受信側コネクタ３の入射瞳とが一致させられる。
【００３１】
この状態で、送信側コネクタ２の各光ファイバ８を介して光信号を導光する。光ファイバ８内を導光されてきた光信号は、一端面から射出される際に広がるが、本実施形態においては、光ファイバ８の一端面がレンズ６に隙間なく密着させられているので、光束が大きく広がることなくレンズ６内を伝播して、レンズ６の凸面１０のパワーによって集光させられることにより、略平行光に変換されて射出される。
【００３２】
レンズ６から射出された略平行光からなる複数の光信号は、射出瞳においてそれらの光束中心が一点を通過した後に、再度広がって受信側コネクタ３のレンズ７の凸面１１に入射する。
受信側コネクタ３のレンズ７の凸面１１に入射した複数の光信号は、それぞれ、レンズ７の凸面１１のパワーによって集光させられることにより、レンズ７に固定されている複数の光ファイバ９の一端面に別々に入射させられる。
【００３３】
これにより、送信側コネクタ２の複数の光ファイバ８を介して導光されてきた光信号を、受信側コネクタ３の複数の光ファイバ９に入射させ、複数の光信号を簡易に接続することができる。
この場合に、本実施形態に係る光伝送コネクタ装置１によれば、各光ファイバ８の端面がレンズ６に密着しているので、レンズ６から射出される略平行光からなる光信号の光束径を十分に小さく抑えることができる。
【００３４】
このように、本実施形態に係る光伝送コネクタ装置１によれば、複数の光信号を接続する場合にも、レンズアレイのような大型の光学部品を用いることなく、送受信側にそれぞれ単一のレンズ６，７によって構成でき、レンズ６，７の最大径寸法を抑制して小型細径化を図ることができるという利点がある。
【００３５】
レンズ６からの射出光を平行光にすることにより、光軸方向の誤差の許容範囲をより広くすることができる。すなわち、送信側コネクタ２と受信側コネクタ３との配置の自由度を広げ、且つ、光伝送コネクタ装置１の組立時に生じる誤差の許容にも優れているという利点がある。
【００３６】
この光伝送コネクタ装置１を内視鏡システムに用いる場合に、種々のスコープを交換して画像処理装置に接続したり、使用後に洗浄したりすることを容易に行うことができるとともに、光ファイバ８の先端にレンズ６を配置して光信号を略平行光となるように光束径を拡大しているので、レンズ６に水垢や異物が付着しても伝送効率を低下させることなく、光信号を接続することができるという利点がある。また、光ファイバ８，９とレンズ６，７とを密着させているので、両者間に異物が侵入することがなく、これによる伝送効率の低下を防止することができる。
【００３７】
なお、本実施形態に係る光伝送コネクタ装置１においては、各光ファイバ８，９を５本備える場合を例示したが、これに代えて、２本以上の任意の光ファイバ８，９を備えることにしてもよい。
【００３８】
次に、本発明の第２の実施形態に係る光伝送コネクタ装置１５について、図面を参照して以下に説明する。
本実施形態の説明において、上述した第１の実施形態に係る光伝送コネクタ装置１と構成を共通とする箇所には同一符号を付して説明を省略する。
【００３９】
本実施形態に係る光伝送コネクタ装置１５は、図６に示されるように、レンズ１６，１７が、凸面１０，１１と平面１８，１９とを有する平凸レンズにより構成され、光ファイバ８，９の一端面と、レンズ１６，１７の平面１８，１９とが微小間隙をあけて対向配置されている点で、第１の実施形態に係る光伝送コネクタ装置１と相違している。
【００４０】
このように構成された本実施形態に係る光伝送コネクタ装置１５によれば、光ファイバ８によって導光されてきた光信号は、光ファイバ８の一端面から射出される際に大きな広がり角をなして広がるが、光ファイバ８の一端面に微小間隙をあけて対向配置されているレンズ１６の平面１８に即座に入射されるので、レンズ１６の凸面１０から射出される略平行光からなる信号光の光束径をさほど大きくさせずに済み、上述した条件式（３）を満足することができる。
【００４１】
すなわち、本実施形態によっても、レンズアレイのような大型の光学部品を用いることなく、送受信側にそれぞれ単一のレンズ１６，１７によって構成でき、レンズ１６，１７の最大径寸法を抑制して小型細径化を図ることができるという利点がある。
【００４２】
なお、本実施形態においては、第１の実施形態に係る光伝送コネクタ装置１と同様にして、図６に示されるように、複数の光ファイバ８の傾きを調節して、レンズ１６から射出される略平行光からなる複数の信号光の光束中心が１点で交わるようにしてもよいし、図７に示されるように、各光ファイバ８の一端面の長手軸に対する角度を調節することにより、レンズ１６から射出される略平行光からなる複数の信号光の光束中心が１点で交わるようにしてもよい。
【符号の説明】
【００４３】
１，１５  光伝送コネクタ装置
２  送信側コネクタ
３  受信型コネクタ
６，７，１６，１７  レンズ（光学部材）
８，９  光ファイバ
１０，１１  凸面
【図１】
2016103912.tif 000003
【図２】
2016103912.tif 000004
【図３】
2016103912.tif 000005
【図４】
2016103912.tif 000006
【図５】
2016103912.tif 000007
【図６】
2016103912.tif 000008
【図７】
2016103912.tif 000009
【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
複数の光信号を送信する送信側コネクタと、
該送信側コネクタから送信された複数の光信号を受信する受信側コネクタとを備え、
前記送信側コネクタおよび前記受信側コネクタが、光信号を伝送する複数の光ファイバと、複数の該光ファイバの一端面に接触または近接して配置される光学部材とを有し、
前記送信側コネクタの光学部材が、各前記光ファイバの一端面から射出された複数の光信号を略平行光に変換するとともに、各該略平行光の光束中心を略一点で交わらせるように形成され、
前記受信側コネクタの光学部材が、前記送信側コネクタの光学部材において略平行光に変換された複数の光信号を別々の前記光ファイバに入射させるように形成され、
前記複数の光ファイバのうちの少なくとも１つは光軸に対して傾いており、
以下の条件式（１）を満足する光伝送コネクタ装置。
Ｄ１／Ｄ２＜２    ・・・（１）
但し、Ｄ１は前記送信側コネクタの前記光学部材の最大有効径であり、Ｄ２は前記平行光の最大光束径である。
【請求項２】
以下の条件式（２）を満足する請求項１記載の光伝送コネクタ装置。
Ｄ１／２ｆｔａｎ（ω／２）＜２  ・・・（２）
但し、ωは前記光ファイバの信号光からの広がり角度であり、ｆは前記光学部材の焦点距離である。
【請求項３】
以下の条件式（３）を満足する請求項２記載の光伝送コネクタ装置。
２｛Ｐ＋ｆｔａｎ（ω／２−θ）｝／２ｆｔａｎ（ω／２）＜２  ・・・（３）
但し、Ｐは各前記光ファイバの光軸からの距離であり、θは前記光ファイバの傾き角である。
【請求項４】
前記光学部材が凸面を有し、
該凸面が中心から周辺にかけてパワーが弱くなる非球面形状であり、
前記受信側コネクタの光学部材と前記送信側コネクタの光学部材とが、互いに前記凸面を対向させて配置される請求項１に記載の光伝送コネクタ装置。
【手続補正２】
【補正対象書類名】明細書
【補正対象項目名】０００８
【補正方法】変更
【補正の内容】
【０００８】
本発明は、複数の光信号を送信する送信側コネクタと、該送信側コネクタから送信された複数の光信号を受信する受信側コネクタとを備え、前記送信側コネクタおよび前記受信側コネクタが、光信号を伝送する複数の光ファイバと、複数の該光ファイバの一端面に接触または近接して配置される光学部材とを有し、前記送信側コネクタの光学部材が、各前記光ファイバの一端面から射出された複数の光信号を略平行光に変換するとともに、各該略平行光の光束中心を略一点で交わらせるように形成され、前記受信側コネクタの光学部材が、前記送信側コネクタの光学部材において略平行光に変換された複数の光信号を別々の前記光ファイバに入射させるように形成され、前記複数の光ファイバのうちの少なくとも１つは光軸に対して傾いており、以下の条件式（１）を満足する光伝送コネクタ装置である。
Ｄ１／Ｄ２＜２    ・・・（１）
但し、Ｄ１は前記送信側コネクタの前記光学部材の最大有効径であり、Ｄ２は前記平行光の最大光束径である。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
複数の光信号を送信する送信側コネクタと、
該送信側コネクタから送信された複数の光信号を受信する受信側コネクタとを備え、
前記送信側コネクタおよび前記受信側コネクタが、光信号を伝送する複数の光ファイバと、複数の該光ファイバの一端面に接触または近接して配置される光学部材とを有し、
前記送信側コネクタの光学部材が、各前記光ファイバの一端面から射出された複数の光信号を略平行光に変換するとともに、各該略平行光の光束中心を略一点で交わらせるように形成され、
前記受信側コネクタの光学部材が、前記送信側コネクタの光学部材において略平行光に変換された複数の光信号を別々の前記光ファイバに入射させるように形成され、
前記複数の光ファイバのうちの少なくとも１つは光軸に対して傾いており、
以下の条件式（１），（２）および（３）を満足する光伝送コネクタ装置。
Ｄ１／Ｄ２＜２    ・・・（１）
Ｄ１／２ｆｔａｎ（ω／２）＜２  ・・・（２）
２｛Ｐ＋ｆｔａｎ（ω／２−θ）｝／２ｆｔａｎ（ω／２）＜２  ・・・（３）
但し、Ｄ１は前記送信側コネクタの前記光学部材の最大有効径であり、Ｄ２は前記平行光の最大光束径であり、ωは前記光ファイバの信号光からの広がり角度であり、ｆは前記光学部材の焦点距離であり、Ｐは各前記光ファイバの光軸からの距離であり、θは前記光ファイバの傾き角である。
【手続補正２】
【補正対象書類名】明細書
【補正対象項目名】０００８
【補正方法】変更
【補正の内容】
【０００８】
本発明は、複数の光信号を送信する送信側コネクタと、該送信側コネクタから送信された複数の光信号を受信する受信側コネクタとを備え、前記送信側コネクタおよび前記受信側コネクタが、光信号を伝送する複数の光ファイバと、複数の該光ファイバの一端面に接触または近接して配置される光学部材とを有し、前記送信側コネクタの光学部材が、各前記光ファイバの一端面から射出された複数の光信号を略平行光に変換するとともに、各該略平行光の光束中心を略一点で交わらせるように形成され、前記受信側コネクタの光学部材が、前記送信側コネクタの光学部材において略平行光に変換された複数の光信号を別々の前記光ファイバに入射させるように形成され、前記複数の光ファイバのうちの少なくとも１つは光軸に対して傾いており、以下の条件式（１），（２）および（３）を満足する光伝送コネクタ装置である。
Ｄ１／Ｄ２＜２    ・・・（１）
Ｄ１／２ｆｔａｎ（ω／２）＜２  ・・・（２）
２｛Ｐ＋ｆｔａｎ（ω／２−θ）｝／２ｆｔａｎ（ω／２）＜２  ・・・（３）
但し、Ｄ１は前記送信側コネクタの前記光学部材の最大有効径であり、Ｄ２は前記平行光の最大光束径であり、ωは前記光ファイバの信号光からの広がり角度であり、ｆは前記光学部材の焦点距離であり、Ｐは各前記光ファイバの光軸からの距離であり、θは前記光ファイバの傾き角である。
【手続補正３】
【補正対象書類名】明細書
【補正対象項目名】００１１
【補正方法】変更
【補正の内容】
【００１１】
上記態様において、以下の条件式（２）を満足する。
Ｄ１／２ｆｔａｎ（ω／２）＜２  ・・・（２）
【手続補正４】
【補正対象書類名】明細書
【補正対象項目名】００１３
【補正方法】変更
【補正の内容】
【００１３】
上記態様において、以下の条件式（３）を満足する。
２｛Ｐ＋ｆｔａｎ（ω／２−θ）｝／２ｆｔａｎ（ω／２）＜２  ・・・（３）
但し、Ｐは各前記光ファイバの光軸からの距離であり、θは前記光ファイバの傾き角である。
【国際調査報告】
2016103912.tif 000010
2016103912.tif 000011
2016103912.tif 000012
2016103912.tif 000013